(57)【要約】      （修正有）【課題】貫通電極技術を必要とすること無く、簡潔に製造でき、コスト的にも安い両面電極構造の半導体装置およびその製造方法を提供する。【解決手段】半導体チップを含む回路素子を配置して樹脂封止すると共に、該回路素子に接続される外部接続用電極をおもて面と裏面の両面に配置する。回路素子を有機基板上に配置して、該有機基板に設けた配線パターンと接続する。連結板により一体に構成した複数の内部接続用電極のそれぞれの一端を、配線パターン上の所定位置に接続する。回路素子を樹脂封止した後、連結板が無くなるまでおもて面側を研磨或いは研削して平坦化することにより個々の内部接続用電極に分離して構成する。複数の内部接続用電極のそれぞれの他端をおもて面における外部接続用電極として用いる。有機基板に設けたスルーホール内部の導体層を介して、裏面における外部接続用電極を配線パターンに接続する。【選択図】        図１
2008016729.tif 000002
【特許請求の範囲】
【請求項１】
半導体チップを含む回路素子を配置して樹脂封止すると共に、該回路素子に接続される外部接続用電極をおもて面と裏面の両面に配置した両面電極構造の半導体装置において、
前記回路素子を有機基板上に配置すると共に該有機基板に設けた配線パターンと接続し、
該配線パターンに接続される各一端を有する複数の内部接続用電極を備え、該複数の内部接続用電極のそれぞれの他端をおもて面における前記外部接続用電極として用い、
前記複数の内部接続用電極は連結板により一体に構成して前記配線パターン上に接続し、前記有機基板の上面を樹脂封止した後、前記連結板を研磨或いは研削することにより個々の内部接続用電極に分離して構成し、
前記有機基板に設けたスルーホール内部の導体層を介して、裏面における前記外部接続用電極を前記配線パターンに接続した、
ことから成る両面電極構造の半導体装置。
【請求項２】
前記樹脂封止の上面には、インクジェットあるいはスクリーン印刷で、若しくはシード層パターン形成後に無電解メッキすることによって再配線をし、内部接続用電極の配置とは異なる位置に外部接続用電極を配置した請求項１に記載の両面電極構造の半導体装置。
【請求項３】
前記内部接続用電極構造は、超音波による接合、或いは導電性ペーストによる接合、或いは半田接続、或いは有機基板側に設けた接続電極用金属パッド部に凹部を設ける一方、内部接続用電極側に凸部を設けて挿入圧着あるいは挿入しカシメることにより固定して電気的に接続した請求項１に記載の両面電極構造の半導体装置。
【請求項４】
前記連結板により一体に連結して構成される前記内部接続用電極は、銅材質を用いて、エッチング、或いは削り出し、或いはプレスによって柱状或いは棒状に形成される請求項１に記載の両面電極構造の半導体装置。
【請求項５】
半導体チップを含む回路素子を配置して樹脂封止すると共に、該回路素子に接続される外部接続用電極をおもて面と裏面の両面に配置した両面電極構造の半導体装置において、
前記回路素子をリードフレーム上に配置すると共に該リードフレームのインナーリード部と接続し、
該リードフレームの所定位置に接続される各一端を有する複数の内部接続用電極を備え、該複数の内部接続用電極のそれぞれの他端をおもて面における前記外部接続用電極として用い、
前記複数の内部接続用電極は連結板により一体に構成して前記リードフレームの所定位置に接続し、リードフレームの上面を樹脂封止した後、前記連結板を研磨或いは研削することにより個々の内部接続用電極に分離して構成し、
前記リードフレームに設けたアウターリード部を、裏面における前記外部接続用電極として用いる、
ことから成る両面電極構造の半導体装置。
【請求項６】
前記樹脂封止の上面には、インクジェットあるいはスクリーン印刷で、若しくはシード層パターン形成後に無電解メッキすることによって再配線をし、内部接続用電極の配置とは異なる位置に外部接続用電極を配置した請求項５に記載の両面電極構造の半導体装置。
【請求項７】
前記内部接続用電極構造は、超音波による接合、或いは導電性ペーストによる接合、或いは半田接続、或いはリードフレーム側に凹部を設ける一方、内部接続用電極側に凸部を設けて挿入圧着あるいは挿入しカシメることにより固定して電気的に接続した請求項５に記載の両面電極構造の半導体装置。
【請求項８】
前記連結板により一体に連結して構成される前記内部接続用電極は、銅材質を用いて、エッチング、或いは削り出し、或いはプレスによって柱状或いは棒状に形成される請求項５に記載の両面電極構造の半導体装置。
【請求項９】
半導体チップを含む回路素子を配置して樹脂封止すると共に、該回路素子に接続される外部接続用電極をおもて面と裏面の両面に配置した両面電極構造の半導体装置において、
前記回路素子を、後に剥離されるテープ基板上に配置し、
前記テープ基板上に配置される各一端を有する複数の内部接続用電極を備え、該複数の内部接続用電極のそれぞれの他端をおもて面における前記外部接続用電極として用い、
前記複数の内部接続用電極は連結板により一体に構成して前記テープ基板の所定の位置上に配置し、該テープ基板の上面を樹脂封止した後、前記連結板を研磨或いは研削することにより個々の内部接続用電極に分離して構成し、
前記テープ基板を剥離した後、この剥離により露出した面上において、前記回路素子及び前記内部接続用電極間の配線を行うと共に、前記複数の内部接続用電極のそれぞれの前記一端を、裏面における前記外部接続用電極として用いる、
ことから成る両面電極構造の半導体装置。
【請求項１０】
前記樹脂封止の上面には、インクジェットあるいはスクリーン印刷で、若しくはシード層パターン形成後に無電解メッキすることによって再配線をし、内部接続用電極の配置とは異なる位置に外部接続用電極を配置した請求項９に記載の両面電極構造の半導体装置。
【請求項１１】
前記回路素子及び前記内部接続用電極間の配線をした上に、保護膜を塗布した後該保護膜に開口を設けることによって、またはインクジェットにより保護膜をバンプ部以外に選択的に塗布することによって、ここに、裏面における前記外部接続用電極としてのバンプ電極を形成した請求項９に記載の両面電極構造の半導体装置。
【請求項１２】
前記保護膜の上に他の回路素子を配置して、それらの配線を行った請求項１１に記載の両面電極構造の半導体装置。
【請求項１３】
前記連結板により一体に連結して構成される前記内部接続用電極は、銅材質を用いて、エッチング、或いは削り出し、或いはプレスによって柱状或いは棒状に形成される請求項９に記載の両面電極構造の半導体装置。
【請求項１４】
半導体チップを含む回路素子を配置して樹脂封止すると共に、該回路素子に接続される外部接続用電極をおもて面と裏面の両面に配置した両面電極構造の半導体装置の製造方法において、
前記回路素子を有機基板上に配置して、該有機基板に設けた配線パターンと接続し、
連結板により一体に構成した複数の内部接続用電極のそれぞれの一端を、前記配線パターン上の所定位置に接続し、
前記回路素子を樹脂封止した後、前記連結板が無くなるまでおもて面側を研磨或いは研削して平坦化することにより個々の内部接続用電極に分離して構成し、
前記複数の内部接続用電極のそれぞれの他端をおもて面における前記外部接続用電極として用い、
前記有機基板に設けたスルーホール内部の導体層を介して、裏面における前記外部接続用電極を前記配線パターンに接続した、
ことから成る両面電極構造の半導体装置の製造方法。
【請求項１５】
半導体チップを含む回路素子を配置して樹脂封止すると共に、該回路素子に接続される外部接続用電極をおもて面と裏面の両面に配置した両面電極構造の半導体装置の製造方法において、
前記回路素子をリードフレーム上に配置して、該リードフレームのインナーリード部と接続し、
連結板により一体に構成した複数の内部接続用電極のそれぞれの一端を、前記リードフレームの所定位置に接続し、
前記回路素子を樹脂封止した後、前記連結板が無くなるまでおもて面側を研磨或いは研削して平坦化することにより個々の内部接続用電極に分離して構成し、
前記複数の内部接続用電極のそれぞれの他端をおもて面における前記外部接続用電極として用い、
前記リードフレームに設けたアウターリード部を、裏面における前記外部接続用電極として用いる、
ことから成る両面電極構造の半導体装置の製造方法。
【請求項１６】
半導体チップを含む回路素子を配置して樹脂封止すると共に、該回路素子に接続される外部接続用電極をおもて面と裏面の両面に配置した両面電極構造の半導体装置の製造方法において、
前記回路素子を、後に剥離されるテープ基板上に配置し、
連結板により一体に構成した複数の内部接続用電極のそれぞれの一端を、前記テープ基板の所定位置に配置し、
前記回路素子を樹脂封止した後、前記連結板が無くなるまでおもて面側を研磨或いは研削して平坦化することにより個々の内部接続用電極に分離して構成して、前記複数の内部接続用電極のそれぞれの他端をおもて面における前記外部接続用電極として用い、
前記テープ基板を剥離した後、この剥離により露出した面上において、前記回路素子及び前記内部接続用電極間の配線を行い、前記複数の内部接続用電極の前記それぞれの一端を裏面における前記外部接続用電極として用いる
ことから成る両面電極構造の半導体装置の製造方法。
【発明の詳細な説明】
【技術分野】
【０００１】
本発明は、半導体チップを含む回路素子を配置して樹脂封止すると共に、該回路素子に接続される外部接続用電極をおもて面と裏面の両面に配置した両面電極構造の半導体装置及びその製造方法に関する。
【背景技術】
【０００２】
LＳＩチップの高集積化に伴い、パッケージサイズの縮小化も強く要求されており、様々な実装パッケージ構造が提案されている。近年、半導体ベアチップに貫通電極を形成して積層しようとする開発が盛んに行われている。一方、リアルサイズの両面電極パッケージもこれから製品化される可能性が高い。いずれの技術においても、従来の両面電極パッケージは常に貫通電極構造を必要としているが（特許文献１，特許文献２参照）、現在の貫通孔の絶縁方法は、高温で処理されるため半導体の実装プロセスへの適用は困難であった。このように、半導体基板への貫通孔の形成とその絶縁方法にはまだ課題が残されていて、貫通電極を必要とせずに配線することが望まれる。
【０００３】
特許文献３は、積層型半導体パッケージ用の多層基板において、その個別単層のパッケージを薄くする技術を開示する。このため、下部配線基板と上部配線基板に分けて別々に製作し、後で貼り合わせる。上部配線基板は上面への電極取出しと再配線を同時に兼ね備えているが、低コストで製造することは困難である。
【０００４】
また、特許文献４は、積層型半導体において、その個別単層のパッケージの突起電極を形成する技術を開示する。突起電極のパターン形成をフィルムで行い、開口部に半田ペーストを充填し、過熱することによって突起電極を形成する。工程的に、圧倒的に複雑でコスト高となる。
【特許文献１】特開２００３−２４９６０４号公報
【特許文献２】特開２００２−１５８３１２号
【特許文献３】特開２００５−２８６０１０号公報
【特許文献４】特開２００３−２１８２８３号公報
【発明の開示】
【発明が解決しようとする課題】
【０００５】
本発明は、係る問題点を解決して、貫通電極技術を必要とすること無く、簡潔にしかもコスト的にも安く両面電極パッケージを製造し、供給することを目的としている。これによって、有機基板タイプ両面電極パッケージ、リードフレームタイプ両面電極パッケージ、或いはテープ基板タイプ両面電極パッケージの製造を可能にして、従来の携帯電話への応用以外に各種センサー（音、磁気、圧力、等）用パッケージとしても有効となる。
【課題を解決するための手段】
【０００６】
本発明の両面電極構造の半導体装置及びその製造方法は、半導体チップを含む回路素子を配置して樹脂封止すると共に、該回路素子に接続される外部接続用電極をおもて面と裏面の両面に配置する。回路素子を有機基板上に配置して、該有機基板に設けた配線パターンと接続する。連結板により一体に構成した複数の内部接続用電極のそれぞれの一端を、配線パターン上の所定位置に接続する。回路素子を樹脂封止した後、連結板が無くなるまでおもて面側を研磨或いは研削して平坦化することにより個々の内部接続用電極に分離して構成する。複数の内部接続用電極のそれぞれの他端をおもて面における外部接続用電極として用いる。有機基板に設けたスルーホール内部の導体層を介して、裏面における外部接続用電極を配線パターンに接続する。
【０００７】
また、本発明の両面電極構造の半導体装置及びその製造方法は、回路素子をリードフレーム上に配置して、該リードフレームのインナーリード部と接続する。連結板により一体に構成した複数の内部接続用電極のそれぞれの一端を、リードフレームの所定位置に接続する。回路素子を樹脂封止した後、連結板が無くなるまでおもて面側を研磨或いは研削して平坦化することにより個々の内部接続用電極に分離して構成する。複数の内部接続用電極のそれぞれの他端をおもて面における外部接続用電極として用いる。リードフレームに設けたアウターリード部を、裏面における外部接続用電極として用いる。
【０００８】
また、本発明の両面電極構造の半導体装置及びその製造方法は、回路素子を、後に剥離されるテープ基板上に配置し、連結板により一体に構成した複数の内部接続用電極のそれぞれの一端を、このテープ基板の所定位置に配置する。回路素子を樹脂封止した後、連結板が無くなるまでおもて面側を研磨或いは研削して平坦化することにより個々の内部接続用電極に分離して構成して、複数の内部接続用電極のそれぞれの他端をおもて面における外部接続用電極として用いる。テープ基板を剥離した後、この剥離により露出した面上において、回路素子及び内部接続用電極間の配線を行い、複数の内部接続用電極のそれぞれの一端を裏面における外部接続用電極として用いる。
【発明の効果】
【０００９】
本発明によれば、両面電極パッケージの内部接続型構造において、貫通電極技術を必要とすること無く、簡潔にしかもコスト的にも安く実現することが可能となる。これによって、電子機器の携帯電話等の小型実装分野、及び電子機器で3次元接続が有効なセンサー用パッケージとして有効となる。
【００１０】
また、本発明によれば、任意の数だけ基板上部及び下部の任意の箇所に配線を取り出して、基板上面を任意に再配線可能にし、上部接続ＩＣとの接続パターンに融通性を持たせることができる。
【発明を実施するための最良の形態】
【００１１】
図１は、本発明の両面電極構造の半導体装置の第１の例を示す有機基板タイプの両面電極パッケージの断面図を示している。なお、図示したように、有機基板タイプの両面電極パッケージの有機基板側を裏面として、その上に配置される回路素子側をおもて面とする。ＬＳＩチップのような半導体チップは、多層有機基板上にダイボンド材により接着して、有機基板の最上層の配線パターンとはボンディングワイヤ（ワイヤボンド接続方式）により接続する。この有機基板の配線パターンには、本発明の特徴とする内部接続用電極が固定され、かつ電気的に接続される。内部接続用電極の接続の詳細は、図３〜図５を参照して後述する。有機基板の上面は、ＬＳＩチップ及びボンディングワイヤを覆うように樹脂封止され、この樹脂封止上面には、再配線を行うこともできる。内部接続用電極の配置から、例えばエリア配置に持っていくためにインクジェットあるいはスクリーン印刷で、若しくはシード層パターン形成後に無電解メッキすることによって再配線を行うことができる。
【００１２】
次に、図１に示した両面電極構造の半導体装置（有機基板タイプの両面電極パッケージ）の製造工程を、図２〜図８を参照しつつ順を追って説明する。図２は、多層有機基板上にＬＳＩチップを接着しかつ接続した状態で示す図である。ＬＳＩチップは、多層有機基板上にダイボンド材により接着して、有機基板の最上層の配線パターンとはボンディングワイヤにより接続するものとして例示している。多層または単層有機基板の最上層の配線パターンに、ボンディングワイヤ接続電極となるボンディング用金属パッド部が形成されると共に、該パッド部への配線が形成される。この多層または単層有機基板のおもて面の金属パッド部と、ＬＳＩチップは、Ａｕボンディングワイヤにより接続される。１個のＬＳＩチップを例示したが、複数のチップを積層することも可能である。
【００１３】
或いは、ＬＳＩチップは、有機基板に対してフリップチップボンド接続することもできる（図示省略）。この場合、ＬＳＩチップは、多層または単層有機基板の最上層の配線パターンに、通常の技術を用いて、フリップチップボンド接続される。
【００１４】
多層または単層有機基板は、単層２層配線構造や複数層から成る基板の各層に、それぞれ配線パターンを形成した後これらの基板を貼り合わせ、必要に応じて各層の配線パターンを接続するためのスルーホールを形成したものである。このスルーホールの内部には導体層が形成され、この導体層が裏面側に形成された端面電極部であるランドと接続されている。即ち、スルーホールの導体層は、必ずしもそのままランドにはならない。さらに、このランドには、ハンダ材料を付着させて、外部接続用のバンプを形成することができる。このような多層または単層有機基板は、例えば、「ハンダボール」と呼ばれる小さいハンダ材料を丸めたもの（バンプ）を裏面に実装した（BGA：Ball Grid Array）一括封止有機基板として知られている。
【００１５】
図３は、内部接続用電極構造を固定し、接続した状態で示す図である。有機基板の配線パターンの所定の位置には、本発明の特徴とする内部接続用電極が固定されかつ電気的に接続される。内部接続用電極構造を固定及び接続する手法としては、（１）超音波による接合、（２）銀ペースト等の導電性ペーストによる接続、（３）半田接続、（４）有機基板側に設けた接続電極用金属パッド部に凹部を設ける一方、内部接続用電極構造側は凸部を設けて挿入圧着あるいは挿入しカシメる方法、により行うことができる。
【００１６】
内部接続用電極が有機基板の配線パターン上の所定の位置に配置した接続電極用金属パッド部（図２参照）に固定された段階では、全ての内部接続用電極が、連結板により一体に連結されている。
【００１７】
図４は、一体に連結されている内部接続用電極構造の詳細を示す図であり、図４（Ａ）及び（Ｂ）は１個の両面電極パッケージのための単体パターンの側面断面図及び斜視図をそれぞれ示し、また図４（Ｃ）は４個の両面電極パッケージのための４個の単体パターンを１個に連結したパターンの斜視図を示している。これら単体パターン或いは連結パターンは、複数の内部接続用電極を連結板により一体に連結して構成される。内部接続用電極は、例示したような円柱形状に限らず、矩形、多角形状等を含む柱状（棒状）形状であれば良い。パターン中央部は、例示したように中抜きにすることに限らず、ベタ板でも可能である。一体連結の内部接続用電極パターンの製造はエッチング、或いは削り出し、或いはプレスによって行うことができ、また、その材料としては銅を用いることができる。
【００１８】
図５は、樹脂封止した状態で示す図である。一体に連結されている内部接続用電極が固定された後、この状態で、有機基板の上面は、少なくとも連結板下面まで、望ましくは、製造上の表面平坦精度を考慮して連結板上面までトランスファーモールドされ、或いは液状樹脂（材質は、例えばエポキシ系）を用いて樹脂封止される。
【００１９】
図６は、表面研磨又は研削後の状態で示す図である。表面研磨又は研削することにより、内部接続用電極が個々に分離されると共に、表面平坦化が行われる。この表面研磨又は研削は、少なくとも連結板が全て取り除かれるまで行われる。表面平坦化をして、内部接続用電極の上面を露出させた状態の上面図を、図７に示している。この段階の構成により、完成製品として使用可能である。
【００２０】
さらに、図１を参照して前述したように、この樹脂封止上面には再配線を行うこともできる。図６に示す内部接続用電極の配置のままを外部接続電極として利用してもよいが、内部接続用電極の配置から、例えばエリア配置に持っていくためにインクジェットあるいはスクリーン印刷で再配置をすることもできる。或いは、上面の再配線のために、シード層パターン形成後に無電解メッキすることによっても行うことができる。これら手法によって、内部接続用電極の頭部露出位置と異なったところに電極を配置することが可能となる。この再配線後の状態を示す上面図を、図８に示している。さらに、この再配線の上に、保護膜（材質は、例えばソルダーレジスト）を塗布した後、再配線上のバンプ形成部上の保護膜に開口を設け、またはインクジェットにより保護膜をバンプ部以外に選択的に塗布することによって、ここに、外部接続用のバンプ電極を形成することができる。製品として完成させるときは、チップ個片化のための切断が行われる。
【００２１】
次に、図９〜図１２を参照して、本発明の両面電極構造の半導体装置の第２の例を示すリードフレームタイプの両面電極パッケージについて説明する。図９は、リードフレーム上にＬＳＩチップを接着しかつ接続した状態で示す図である。なお、図示したように、リードフレームタイプの両面電極パッケージのリードフレーム側を裏面として、その上に配置される回路素子側をおもて面とする。図示したように、ＬＳＩチップは、リードフレームのダイパッド上にＡｇペースト等によるダイボンド材により接着されている（チップダイボンド）。１個のＬＳＩチップを例示したが、複数のチップを積層することも可能である。リードフレームのインナーリード部と、ＬＳＩチップは、Ａｕボンディングワイヤにより接続される（ワイヤボンド）。このリードフレームを周囲の回路と電気的に接続するためのアウターリード部は、その先端断面が、例示したようなリードフレーム裏面だけでなく、側面にも露出させることができる。リードフレームは、例えば、ＰｄメッキしたＣｕ合金のような金属板から、プレス加工により、多数個同時に形成され、その後の工程で、この多数個同時に形成されたリードフレームが、各個片に切断されることになる。図示のリードフレームは各個片に切断された状態で示され、それ故に、リードフレーム自体も個々に分離されて図示されているが、この製造段階にあるリードフレームは、実際には未だ一体に連結されている。
【００２２】
図１０は、内部接続用電極構造を固定し、接続した状態で示す図である。リードフレームの所定の位置には、本発明の特徴とする内部接続用電極が固定され、かつ電気的に接続される。内部接続用電極構造を固定及び接続する手法としては、上述した第１の例と同じく、（１）超音波による接合、（２）銀ペースト等の導電性ペーストによる接続、（３）半田接続、（４）リードフレーム側に凹部を設け、電極構造側は凸部を設けて挿入圧着あるいは挿入しカシメる方法、により行うことができる。内部接続用電極がリードフレームの所定の位置に固定された段階では、全ての内部接続用電極が、連結板により一体に連結されている。内部接続用電極構造は、図４を参照して前述したような構造及び材質のものを用いることができる。
【００２３】
図１１は、樹脂封止した状態で示す図である。一体に連結されている内部接続用電極が接着された後、この状態で、有機基板の上面は、少なくとも連結板下面まで、望ましくは連結板上面までトランスファーモールドされ、或いは液状樹脂を用いて樹脂封止される。
【００２４】
図１２は、表面研磨又は研削後の状態を示す図である。表面研磨又は研削することにより、内部接続用電極が個々に分離されると共に、表面平坦化が行われる。この表面研磨又は研削は、少なくとも連結板が全て取り除かれるまで行われる。
【００２５】
この後、チップ個片化のための切断が行われて、製品として完成するが、さらに、上述した例と同じ手法を用いて、この樹脂封止上面に再配線を行うこともできる。
【００２６】
次に、図１３〜図１８を参照して、本発明の両面電極構造の半導体装置の第３の例を示すテープ基板タイプの両面電極パッケージについて説明する。まず、図１３に示すように、テープ基板上の所定位置に、半導体チップ（ＩＣチップ）、抵抗Ｒ、及びコンデンサＣのような回路素子を、絶縁性があり、剥離性のよい粘着材を用いて接着配置する。この状態で、各回路素子間の電気的な接続は行われていない。テープ基板は、ポリイミドテープなどに代表される薄膜フィルムの絶縁基材により作成することができる。なお、図示したように、テープ基板タイプの両面電極パッケージのテープ基板側を裏面として、その上に配置される回路素子側をおもて面とする。
【００２７】
図１４は、内部接続用電極構造を接着した状態で示す図である。内部接続用電極がテープ基板上の所定の位置に接着された段階では、全ての内部接続用電極が、連結板により一体に連結されている。この内部接続用電極も未だ、回路素子との電気的接続はなされていない。一体連結の内部接続用電極は、図４を参照して前述したような材質及び構成のものを用いることができる。
【００２８】
図１５は、樹脂封止した状態で示す図である。一体に連結されている内部接続用電極が接着された後、この状態で、テープ基板の上面は、各回路素子を覆うように少なくとも連結板下面まで、望ましくは連結板上面までトランスファーモールドされ、或いは液状樹脂を用いて樹脂封止される。
【００２９】
図１６は、表面研磨又は研削後の状態で示す図である。表面研磨又は研削することにより、内部接続用電極が個々に分離されると共に、表面平坦化が行われる。この表面研磨又は研削は、少なくとも連結板が全て取り除かれるまで行われる。
【００３０】
図１７は、テープ基板を剥離した状態で示す図である。図示したように、パッケージ全体を上下反転させた後、テープ基板を剥離する。なお、回路素子を接着した接着剤（粘着剤）は、テープ基板剥離時にはテープ基板側に付くような材質が望ましい。
【００３１】
図１８は、最終的に完成した両面電極パッケージを示す断面図である。テープ基板を剥離した後、剥離後の面上で、既に配置済みのＩＣチップ、抵抗Ｒ、コンデンサＣのような回路素子、及び内部接続用電極の間で所望の配線（表面再配線）を行う。この配線は、インクジェットあるいはスクリーン印刷によって、或いはシード層パターン形成後に無電解メッキすることによって行うことができる。この再配線の上に、保護膜を塗布した後、再配線上のバンプ形成部上の保護膜に開口を設け、またはインクジェットにより保護膜をバンプ部以外に選択的に塗布することによって、ここに、外部接続用のバンプ電極を形成することができる。さらに、他の回路部品（図中には、抵抗Ｒ及び他の半導体パッケージを例示）を保護膜上に配置して、それらの配線を行うこともできる。最後に、チップ個片化のための切断が行われて、製品として完成する。
【図面の簡単な説明】
【００３２】
【図１】本発明の両面電極構造の半導体装置の第１の例を示す有機基板タイプの両面電極パッケージの断面図を示す図である。
【図２】多層有機基板上にＬＳＩチップを接続した状態で示す図である。
【図３】内部接続用電極構造を固定し、接続した状態で示す図である。
【図４】一体に連結されている内部接続用電極構造の詳細を示す図である。
【図５】樹脂封止した状態で示す図である。
【図６】表面研磨又は研削後の状態で示す図である。
【図７】内部接続用電極の上面を露出させた状態の上面図である。
【図８】再配線後の状態を示す上面図である。
【図９】リードフレーム上にＬＳＩチップを接続した状態で示す図である。
【図１０】内部接続用電極構造を固定し、接続した状態で示す図である。
【図１１】樹脂封止した状態で示す図である。
【図１２】表面研磨又は研削後の状態で示す図である。
【図１３】テープ基板上に回路素子を接着配置した状態で示す図である。
【図１４】内部接続用電極構造を接着した状態で示す図である。
【図１５】樹脂封止した状態で示す図である。
【図１６】表面研磨又は研削後の状態で示す図である。
【図１７】テープ基板を剥離した状態で示す図である。
【図１８】最終的に完成した両面電極パッケージを示す断面図である。
【図１】
2008016729.tif 000003
【図２】
2008016729.tif 000004
【図３】
2008016729.tif 000005
【図４】
2008016729.tif 000006
【図５】
2008016729.tif 000007
【図６】
2008016729.tif 000008
【図７】
2008016729.tif 000009
【図８】
2008016729.tif 000010
【図９】
2008016729.tif 000011
【図１０】
2008016729.tif 000012
【図１１】
2008016729.tif 000013
【図１２】
2008016729.tif 000014
【図１３】
2008016729.tif 000015
【図１４】
2008016729.tif 000016
【図１５】
2008016729.tif 000017
【図１６】
2008016729.tif 000018
【図１７】
2008016729.tif 000019
【図１８】
2008016729.tif 000020
【手続補正書】
【提出日】平成19年1月30日(2007.1.30)
【手続補正１】
【補正対象書類名】特許請求の範囲
【補正対象項目名】全文
【補正方法】変更
【補正の内容】
【特許請求の範囲】
【請求項１】
半導体チップを含む回路素子を配置して樹脂封止すると共に、該回路素子に接続される外部接続用電極をおもて面と裏面の両面に配置した両面電極構造の半導体装置の製造方法において、
前記回路素子を有機基板上に配置して、該有機基板に設けた配線パターンと接続し、
連結板により一体に構成した複数の柱状或いは棒状に形成した内部接続用電極のそれぞれの一端を、前記配線パターン上の所定位置に接続し、
前記回路素子を樹脂封止した後、有機基板側を裏面としてその上に配置される回路素子側のおもて面を、前記連結板が無くなるまで研磨或いは研削して平坦化することにより個々の内部接続用電極に分離して構成し、
前記複数の内部接続用電極のそれぞれの他端をおもて面における前記外部接続用電極として用い、
前記有機基板に設けたスルーホール内部の導体層を介して、裏面における前記外部接続用電極を前記配線パターンに接続した、
ことから成る両面電極構造の半導体装置の製造方法。
【請求項２】
前記樹脂封止の上面には、インクジェットあるいはスクリーン印刷で、若しくはシード層パターン形成後に無電解メッキすることによって再配線をし、内部接続用電極の配置とは異なる位置に外部接続用電極を配置した請求項１に記載の両面電極構造の半導体装置の製造方法。
【請求項３】
前記内部接続用電極は、超音波による接合、或いは導電性ペーストによる接合、或いは半田接続、或いは有機基板側に設けた接続電極用金属パッド部に凹部を設ける一方、内部接続用電極側に凸部を設けて挿入圧着あるいは挿入しカシメることにより固定して電気的に接続した請求項１に記載の両面電極構造の半導体装置の製造方法。
【請求項４】
前記連結板により一体に連結して構成される前記内部接続用電極は、銅材質を用いて、エッチング、或いは削り出し、或いはプレスによって形成される請求項１に記載の両面電極構造の半導体装置の製造方法。
【請求項５】
半導体チップを含む回路素子を配置して樹脂封止すると共に、該回路素子に接続される外部接続用電極をおもて面と裏面の両面に配置した両面電極構造の半導体装置の製造方法において、
前記回路素子をリードフレーム上に配置して、該リードフレームのインナーリード部と接続し、
連結板により一体に構成した複数の柱状或いは棒状に形成した内部接続用電極のそれぞれの一端を、前記リードフレームの所定位置に接続し、
前記回路素子を樹脂封止した後、リードフレーム側を裏面としてその上に配置される回路素子側のおもて面を、前記連結板が無くなるまで研磨或いは研削して平坦化することにより個々の内部接続用電極に分離して構成し、
前記複数の内部接続用電極のそれぞれの他端をおもて面における前記外部接続用電極として用い、
前記リードフレームに設けたアウターリード部を、裏面における前記外部接続用電極として用いる、
ことから成る両面電極構造の半導体装置の製造方法。
【請求項６】
前記樹脂封止の上面には、インクジェットあるいはスクリーン印刷で、若しくはシード層パターン形成後に無電解メッキすることによって再配線をし、内部接続用電極の配置とは異なる位置に外部接続用電極を配置した請求項５に記載の両面電極構造の半導体装置の製造方法。
【請求項７】
前記内部接続用電極は、超音波による接合、或いは導電性ペーストによる接合、或いは半田接続、或いはリードフレーム側に凹部を設ける一方、内部接続用電極側に凸部を設けて挿入圧着あるいは挿入しカシメることにより固定して電気的に接続した請求項５に記載の両面電極構造の半導体装置の製造方法。
【請求項８】
前記連結板により一体に連結して構成される前記内部接続用電極は、銅材質を用いて、エッチング、或いは削り出し、或いはプレスによって形成される請求項５に記載の両面電極構造の半導体装置の製造方法。
【請求項９】
半導体チップを含む回路素子を配置して樹脂封止すると共に、該回路素子に接続される外部接続用電極をおもて面と裏面の両面に配置した両面電極構造の半導体装置の製造方法において、
前記回路素子を、後に剥離されるテープ基板上に配置し、
連結板により一体に構成した複数の柱状或いは棒状に形成した内部接続用電極のそれぞれの一端を、前記テープ基板の所定位置に配置し、
前記回路素子を樹脂封止した後、テープ基板側を裏面としてその上に配置される回路素子側のおもて面を、前記連結板が無くなるまで研磨或いは研削して平坦化することにより個々の内部接続用電極に分離して構成して、前記複数の内部接続用電極のそれぞれの他端をおもて面における前記外部接続用電極として用い、
前記テープ基板を剥離した後、この剥離により露出した面上において、前記回路素子及び前記内部接続用電極間の配線を行い、前記複数の内部接続用電極の前記それぞれの一端を裏面における前記外部接続用電極として用いる、
ことから成る両面電極構造の半導体装置の製造方法。
【請求項１０】
前記樹脂封止の上面には、インクジェットあるいはスクリーン印刷で、若しくはシード層パターン形成後に無電解メッキすることによって再配線をし、内部接続用電極の配置とは異なる位置に外部接続用電極を配置した請求項９に記載の両面電極構造の半導体装置の製造方法。
【請求項１１】
前記回路素子及び前記内部接続用電極間の配線をした上に、保護膜を塗布した後該保護膜に開口を設けることによって、またはインクジェットにより保護膜をバンプ部以外に選択的に塗布することによって、ここに、裏面における前記外部接続用電極としてのバンプ電極を形成した請求項９に記載の両面電極構造の半導体装置の製造方法。
【請求項１２】
前記保護膜の上に他の回路素子を配置して、それらの配線を行った請求項１１に記載の両面電極構造の半導体装置の製造方法。
【請求項１３】
前記連結板により一体に連結して構成される前記内部接続用電極は、銅材質を用いて、エッチング、或いは削り出し、或いはプレスによって形成される請求項９に記載の両面電極構造の半導体装置の製造方法。
【手続補正３】
【補正対象書類名】明細書
【補正対象項目名】０００１
【補正方法】変更
【補正の内容】
【０００１】
本発明は、半導体チップを含む回路素子を配置して樹脂封止すると共に、該回路素子に接続される外部接続用電極をおもて面と裏面の両面に配置した両面電極構造の半導体装置の製造方法に関する。
【手続補正４】
【補正対象書類名】明細書
【補正対象項目名】０００６
【補正方法】変更
【補正の内容】
【０００６】
本発明の両面電極構造の半導体装置の製造方法は、半導体チップを含む回路素子を配置して樹脂封止すると共に、該回路素子に接続される外部接続用電極をおもて面と裏面の両面に配置する。回路素子を有機基板上に配置して、該有機基板に設けた配線パターンと接続する。連結板により一体に構成した複数の柱状或いは棒状に形成した内部接続用電極のそれぞれの一端を、配線パターン上の所定位置に接続する。回路素子を樹脂封止した後、有機基板側を裏面としてその上に配置される回路素子側のおもて面を、前記連結板が無くなるまで研磨或いは研削して平坦化することにより個々の内部接続用電極に分離して構成する。複数の内部接続用電極のそれぞれの他端をおもて面における外部接続用電極として用いる。有機基板に設けたスルーホール内部の導体層を介して、裏面における外部接続用電極を配線パターンに接続する。
【手続補正５】
【補正対象書類名】明細書
【補正対象項目名】０００７
【補正方法】変更
【補正の内容】
【０００７】
また、本発明の両面電極構造の半導体装置の製造方法は、回路素子をリードフレーム上に配置して、該リードフレームのインナーリード部と接続する。連結板により一体に構成した複数の柱状或いは棒状に形成した内部接続用電極のそれぞれの一端を、リードフレームの所定位置に接続する。回路素子を樹脂封止した後、リードフレーム側を裏面としてその上に配置される回路素子側のおもて面を、前記連結板が無くなるまで研磨或いは研削して平坦化することにより個々の内部接続用電極に分離して構成する。複数の内部接続用電極のそれぞれの他端をおもて面における外部接続用電極として用いる。リードフレームに設けたアウターリード部を、裏面における外部接続用電極として用いる。
【手続補正６】
【補正対象書類名】明細書
【補正対象項目名】０００８
【補正方法】変更
【補正の内容】
【０００８】
また、本発明の両面電極構造の半導体装置の製造方法は、回路素子を、後に剥離されるテープ基板上に配置し、連結板により一体に構成した複数の柱状或いは棒状に形成した内部接続用電極のそれぞれの一端を、このテープ基板の所定位置に配置する。回路素子を樹脂封止した後、テープ基板側を裏面としてその上に配置される回路素子側のおもて面を、前記連結板が無くなるまで研磨或いは研削して平坦化することにより個々の内部接続用電極に分離して構成して、複数の内部接続用電極のそれぞれの他端をおもて面における外部接続用電極として用いる。テープ基板を剥離した後、この剥離により露出した面上において、回路素子及び内部接続用電極間の配線を行い、複数の内部接続用電極のそれぞれの一端を裏面における外部接続用電極として用いる。
【手続補正書】
【提出日】平成19年3月28日(2007.3.28)
【手続補正１】
【補正対象書類名】特許請求の範囲
【補正対象項目名】全文
【補正方法】変更
【補正の内容】
【特許請求の範囲】
【請求項１】
半導体チップを含む回路素子を配置して樹脂封止すると共に、該回路素子に接続される外部接続用電極をおもて面と裏面の両面に配置した両面電極構造の半導体装置の製造方法において、
前記回路素子を有機基板上に配置して、該有機基板に設けた配線パターンと接続し、
連結板により一体に構成した複数の柱状或いは棒状に形成した内部接続用電極のそれぞれの一端を、前記配線パターン上の所定位置に接続し、
前記回路素子を樹脂封止した後、有機基板側を裏面としてその上に配置される回路素子側のおもて面を、前記連結板が無くなるまで研磨或いは研削して平坦化することにより個々の内部接続用電極に分離して構成し、
前記複数の内部接続用電極のそれぞれの他端をおもて面における前記外部接続用電極として用い、
前記有機基板に設けたスルーホール内部の導体層を介して、裏面における前記外部接続用電極を前記配線パターンに接続した、
ことから成る両面電極構造の半導体装置の製造方法。
【請求項２】
前記樹脂封止のおもて面には、インクジェットあるいはスクリーン印刷で、若しくはシード層パターン形成後に無電解メッキで再配線をすることによって、おもて面における前記外部接続用電極を、前記内部接続用電極の配置とは異なる位置に配置した請求項１に記載の両面電極構造の半導体装置の製造方法。
【請求項３】
前記内部接続用電極は、超音波による接合、或いは導電性ペーストによる接合、或いは半田接続、或いは有機基板側に設けた接続電極用金属パッド部に凹部を設ける一方、内部接続用電極側に凸部を設けて挿入圧着あるいは挿入しカシメることにより固定して電気的に接続した請求項１に記載の両面電極構造の半導体装置の製造方法。
【請求項４】
前記連結板により一体に連結して構成される前記内部接続用電極は、銅材質を用いて、エッチング、或いは削り出し、或いはプレスによって形成される請求項１に記載の両面電極構造の半導体装置の製造方法。
【請求項５】
半導体チップを含む回路素子を配置して樹脂封止すると共に、該回路素子に接続される外部接続用電極をおもて面と裏面の両面に配置した両面電極構造の半導体装置の製造方法において、
前記回路素子をリードフレーム上に配置して、該リードフレームのインナーリード部と接続し、
連結板により一体に構成した複数の柱状或いは棒状に形成した内部接続用電極のそれぞれの一端を、前記リードフレームの所定位置に接続し、
前記回路素子を樹脂封止した後、リードフレーム側を裏面としてその上に配置される回路素子側のおもて面を、前記連結板が無くなるまで研磨或いは研削して平坦化することにより個々の内部接続用電極に分離して構成し、
前記複数の内部接続用電極のそれぞれの他端をおもて面における前記外部接続用電極として用い、
前記リードフレームに設けたアウターリード部を、裏面における前記外部接続用電極として用いる、
ことから成る両面電極構造の半導体装置の製造方法。
【請求項６】
前記樹脂封止のおもて面には、インクジェットあるいはスクリーン印刷で、若しくはシード層パターン形成後に無電解メッキで再配線をすることによって、おもて面における前記外部接続用電極を、前記内部接続用電極の配置とは異なる位置に配置した請求項５に記載の両面電極構造の半導体装置の製造方法。
【請求項７】
前記内部接続用電極は、超音波による接合、或いは導電性ペーストによる接合、或いは半田接続、或いはリードフレーム側に凹部を設ける一方、内部接続用電極側に凸部を設けて挿入圧着あるいは挿入しカシメることにより固定して電気的に接続した請求項５に記載の両面電極構造の半導体装置の製造方法。
【請求項８】
前記連結板により一体に連結して構成される前記内部接続用電極は、銅材質を用いて、エッチング、或いは削り出し、或いはプレスによって形成される請求項５に記載の両面電極構造の半導体装置の製造方法。
【請求項９】
半導体チップを含む回路素子を配置して樹脂封止すると共に、該回路素子に接続される外部接続用電極をおもて面と裏面の両面に配置した両面電極構造の半導体装置の製造方法において、
前記回路素子を、後に剥離されるテープ基板上に配置し、
連結板により一体に構成した複数の柱状或いは棒状に形成した内部接続用電極のそれぞれの一端を、前記テープ基板の所定位置に配置し、
前記回路素子を樹脂封止した後、テープ基板側を裏面としてその上に配置される回路素子側のおもて面を、前記連結板が無くなるまで研磨或いは研削して平坦化することにより個々の内部接続用電極に分離して構成して、前記複数の内部接続用電極のそれぞれの他端をおもて面における前記外部接続用電極として用い、
前記テープ基板を剥離した後、この剥離により露出した面上において、前記回路素子及び前記内部接続用電極間の配線を行い、前記複数の内部接続用電極の前記それぞれの一端を裏面における前記外部接続用電極として用いる、
ことから成る両面電極構造の半導体装置の製造方法。
【請求項１０】
前記樹脂封止のおもて面には、インクジェットあるいはスクリーン印刷で、若しくはシード層パターン形成後に無電解メッキで再配線をすることによって、おもて面における前記外部接続用電極を、前記内部接続用電極の配置とは異なる位置に配置した請求項９に記載の両面電極構造の半導体装置の製造方法。
【請求項１１】
前記回路素子及び前記内部接続用電極間の配線をした上に、保護膜を塗布した後該保護膜に開口を設けることによって、またはインクジェットにより保護膜をバンプ部以外に選択的に塗布することによって、ここに、裏面における前記外部接続用電極としてのバンプ電極を形成した請求項９に記載の両面電極構造の半導体装置の製造方法。
【請求項１２】
前記連結板により一体に連結して構成される前記内部接続用電極は、銅材質を用いて、エッチング、或いは削り出し、或いはプレスによって形成される請求項９に記載の両面電極構造の半導体装置の製造方法。